(57)【要約】【課題】リールに対する受信部の配置自由度を向上させやすいコードリールを提供する。【解決手段】コードリール１は、リール２と電源コード３と出力コンセントと検出手段とスイッチ手段と受信部１３と無線復帰手段とを有する。リール２は、筒状の胴部２１と、側板部２２とを備える。検出手段は、出力コンセントに接続される電動工具の刃部が、金属製物体に接触してアースされたことを検出する。スイッチ手段は、検出手段が刃部のアースを検出したことに応じ、電源コード３から出力コンセントへの給電を遮断する。受信部１３は、リール２の外部に露出しないよう胴部２１の内側に配されているとともに、無線式の遠隔操作部から発信される無線信号を受信する。無線復帰手段は、受信部１３が遠隔操作部から無線信号を受信したことに応じて、電源コード３から出力コンセントへの通電を再開するようスイッチ手段を動作させる。【選択図】図２
0003219613.tif 000002
【実用新案登録請求の範囲】
【請求項１】
筒状の胴部と、軸方向の前記胴部の両端部に配される側板部とを備えたリールと、
外部の電源に差し込み可能な電源プラグを一端に備えるとともに、前記胴部の外周部に巻き取られる電源コードと、
前記リールに設けられるとともに、前記電源コードの他端側に接続された出力コンセントと、
前記出力コンセントに接続される電動工具の刃部が、金属製物体に接触してアースされたことを検出する検出手段と、
前記検出手段が前記刃部のアースを検出したことに応じ、前記電源コードから前記出力コンセントへの給電を遮断するスイッチ手段と、
前記リールの外部に露出しないよう前記胴部の内側に配されるとともに、無線式の遠隔操作部から発信される無線信号を受信する受信部と、
前記受信部が前記遠隔操作部から前記無線信号を受信したことに応じて、前記電源コードから前記出力コンセントへの通電を再開するよう前記スイッチ手段を動作させる無線復帰手段と、を有するコードリール。
【請求項２】
前記側板部は、前記出力コンセントを配置する配置板部を備え、前記受信部は、前記配置板部から離れた位置に配されている、請求項１に記載のコードリール。
【請求項３】
前記リールに設けられるとともに、手動で操作されることに応じて前記電源コードから前記出力コンセントへの通電を再開するよう前記スイッチ手段を動作させる手動復帰手段をさらに有し、前記手動復帰手段及び前記無線復帰手段のいずれによっても、前記電源コードから前記出力コンセントへの給電を再開できるよう構成されている、請求項１又は２に記載のコードリール。
【考案の詳細な説明】
【技術分野】
【０００１】
本考案は、コードリールに関する。
【背景技術】
【０００２】
コードリールは、例えば、電気機器を商用電源の電源コンセントから離れた場所で使用するとき等に用いられる。コードリールは、リールと、リールに巻き取られた電源コードと、リールの側面に設けられるとともに前記電源コードから給電される出力コンセントとを備える。そして、コードリールは、電源コードの電源プラグを商用電源の電源コンセントに差し込み、出力コンセントに電気機器の差込プラグを差し込むことで、電源と電気機器との間を中継する。
【０００３】
かかるコードリールに接続されて使用される電気機器としては、例えばコンクリートを削るための刃部（ドリル）を備えた電動工具がある。電動工具の使用時においては、コンクリート中に配された電線保護用の金属管（埋設管）や鉄筋等の金属製物体に、電動工具の刃部が接触することがある。刃部が金属製物体に接触した状態で、電動工具の使用を継続した場合には、金属製物体や刃部が損傷するおそれがある。
【０００４】
そこで、特許文献１には、接続された電動工具の刃部がコンクリート等に埋設された金属製物体に接触した場合に、電源コードから出力コンセントへの給電を遮断することができるコードリールが開示されている。
【０００５】
特許文献１に記載のコードリールは、メタルセンサユニットとスイッチ手段とを有する。メタルセンサユニットは、電動工具の刃部が金属製物体に接触してアースされたことを検出する。スイッチ手段は、メタルセンサユニットにより電動工具の刃部がアースされたことを検出しときに、電源コードから出力コンセントへの給電を断つように動作する。
【０００６】
ここで、特許文献１に記載のコードリールは、電源コードから出力コンセントへの給電を再開させるための復帰ユニットを備える。復帰ユニットは、コンクリートを切削する作業者等が所持する遠隔操作機（リモコン）から送信される赤外線を受信する受信部を備える。さらに、復帰ユニットは、受信部が遠隔操作機から送信された赤外線を受信することに応じて、電源コードから出力コンセントへの給電を再開するよう前記スイッチ手段を動作させる。これにより、コンクリートを切削する作業者等は、遠隔操作により、電源コードから出力コンセントへの給電を再開させることができる。
【先行技術文献】
【特許文献】
【０００７】
【特許文献１】特開平７−２９１５３９号公報
【考案の概要】
【考案が解決しようとする課題】
【０００８】
しかしながら、特許文献１に記載のコードリールにおいては、受信部が赤外線を受信できるようにすべく、受信部をリールの外側に露出させる必要がある。それゆえ、リールに対する受信部の配置の自由度が低くなりやすい。
【０００９】
本発明は、かかる背景に鑑みてなされたものであり、リールに対する受信部の配置自由度を向上させやすいコードリールを提供しようとするものである。
【課題を解決するための手段】
【００１０】
本発明の一態様は、筒状の胴部と、軸方向の前記胴部の両端部に配される側板部とを備えたリールと、
外部の電源に差し込み可能な電源プラグを一端に備えるとともに、前記胴部の外周部に巻き取られる電源コードと、
前記リールに設けられるとともに、前記電源コードの他端側に接続された出力コンセントと、
前記出力コンセントに接続される電動工具の刃部が、金属製物体に接触してアースされたことを検出する検出手段と、
前記検出手段が前記刃部のアースを検出したことに応じ、前記電源コードから前記出力コンセントへの給電を遮断するスイッチ手段と、
前記リールの外部に露出しないよう前記胴部の内側に配されるとともに、無線式の遠隔操作部から発信される無線信号を受信する受信部と、
前記受信部が前記遠隔操作部から前記無線信号を受信したことに応じて、前記電源コードから前記出力コンセントへの通電を再開するよう前記スイッチ手段を動作させる無線復帰手段と、を有するコードリールにある。
【考案の効果】
【００１１】
本態様のコードリールにおいて、無線式の遠隔操作部から発信される無線信号を受信する受信部は、リールの外部に露出しないよう胴部の内側に配されている。それゆえ、受信部を、リールの外部に露出するようリール内に配置する必要がなく、受信部の配置の自由度を高めることができる。
【００１２】
以上のごとく、前記態様のコードリールにおいては、リールに対する受信部の配置自由度を向上させやすいコードリールを提供することができる。
【図面の簡単な説明】
【００１３】
【図１】実施例１における、コードリールの正面図。
【図２】実施例１における、コードリールの一部を断面とした側面図。
【図３】実施例１における、電動工具の正面図。
【図４】実施例１における、遠隔操作部の正面図。
【図５】実施例１における、正常時のコードリールの回路図。
【図６】実施例１における、接触時のコードリールの回路図。
【図７】実施例１における、受信時のコードリールの回路図。
【考案を実施するための形態】
【００１４】
前記コードリールにおいて、側板部は、出力コンセントを配置する配置板部を備え、受信部は、配置板部から離れた位置に配されていることが好ましい。配置板部近傍には、出力コンセント等の種々の部品が配され、配置スペースが小さくなりやすい。そこで、受信部を配置板部から離れた位置に配することで、受信部をリール内に一層配置しやすい。
【００１５】
前記コードリールは、リールに設けられた後述の手動復帰手段をさらに有し、手動復帰手段及び無線復帰手段のいずれによっても、電源コードから出力コンセントへの給電を再開できるよう構成されていることが好ましい。ここで、手動復帰手段は、手動で操作されることに応じて、電源コードから出力コンセントへの通電を再開するようスイッチ手段を動作させる部位である。この場合、電動工具を使用する使用者等が遠隔操作部を携帯していない場合や、遠隔操作部の電池切れ等により遠隔操作部が機能しなくなった場合等においても、手動で電源コードから出力コンセントへの通電を再開させることができる。
【実施例】
【００１６】
（実施例１）
コードリールの実施例につき、図１〜図７を用いて説明する。
コードリール１は、リール２と電源コード３と出力コンセント４と検出手段１１とスイッチ手段１２と受信部１３と無線復帰手段１４とを有する。図２に示すごとく、リール２は、筒状の胴部２１と、軸方向Ｘの胴部２１の両端部に配される側板部２２とを備える。図１に示すごとく、電源コード３は、外部の電源に差し込み可能な電源プラグ３１を一端に備える。図２に示すごとく、電源コード３は、胴部２１の外周部に巻き取り可能に構成されている。
【００１７】
図１に示すごとく、出力コンセント４は、リール２に設けられている。図５に示すごとく、出力コンセント４は、電源コード３の他端側に接続されている。検出手段１１は、出力コンセント４に接続される、図３に示すような電動工具１０の刃部１０１が、金属製物体に接触してアースされたことを検出する。
【００１８】
図５に示すごとく、スイッチ手段１２は、検出手段１１が刃部１０１のアースを検出したことに応じ、電源コード３から出力コンセント４への給電を遮断する。図２に示すごとく、受信部１３は、リール２の外部に露出しないよう胴部２１の内側に配されている。また、受信部１３は、図４に示すような無線式の遠隔操作部１００から発信される無線信号を受信する。
【００１９】
図５に示すごとく、無線復帰手段１４は、受信部１３が遠隔操作部１００から無線信号を受信したことに応じて、電源コード３から出力コンセント４への通電を再開するようスイッチ手段１２を動作させる。
【００２０】
以後、本例のコードリール１につき詳説する。以後、コードリール１につき、概要、全体構造、回路構成、動作、の順に説明する。
【００２１】
＜概要＞
コードリール１は、電源（図示略）と、当該電源による電力を消費する図３に示すような電動工具１０とを電気接続するために使用される。コードリール１は、電源コード３の電源プラグ３１を電源に挿入接続し、出力コンセント４に電動工具１０の工具側プラグ１０２を挿入接続することにより、電源と電動工具１０との間を電気的に中継する。なお、電動工具１０以外の電気機器も、出力コンセント４に接続することで、コードリール１からの電力の供給を受けることができる。
【００２２】
電源は、金属製物体と導通が取れているアース極を有する商用のコンセントである。なお、詳細は後述するが電源はこれに限られず、アース極を有さないものや、アース極を有するもののアース極が金属製物体と導通が取れていないもの、等にすることもできる。
【００２３】
コードリール１に接続される電動工具１０は、図３に示すごとく、例えば電動ドリルとすることができる。電動工具１０の工具側プラグ１０２は、刃部１０１と導通が取れているアース極を有する単相のプラグとすることができる。なお、電動工具１０の工具側プラグ１０２がアース極を有さない場合は、電動工具１０の刃部１０１或いは刃部１０１と導通が取れている部位（電動工具１０の一部のボルト等）と、コードリール１に設けられた接地端子１０９とをコード等で電気的に接続すれば、電動工具１０の刃部１０１が金属製物体にアースされたことを検出できる。
【００２４】
コードリール１は、接続された電動工具１０で例えばコンクリート等を切削している際において、電動工具１０の刃部１０１が金属製物体に接触した場合、電動工具１０への通電を遮断するよう構成されている。金属製物体としては、コンクリート中に埋設された、電線保護用の金属管（埋設管）や、鉄筋等が考えられる。
【００２５】
一旦刃部１０１が金属製物体に接触し、コードリール１から電動工具１０への通電が遮断された後は、コードリール１の使用者が所持する遠隔操作部１００（図４参照）を操作することで、コードリール１から電動工具１０への通電を再開することができる。なお、本例においては、コードリール１自体に手動復帰手段１６が設けられており、手動復帰手段１６を直接操作することによっても、コードリール１から電動工具１０への通電を再開させることができる。
【００２６】
＜全体構造＞
次に、コードリール１の全体構造につき詳説する。
【００２７】
本例においては、コードリール１が地面等に設置された姿勢において、鉛直方向となる方向を上下方向Ｚという。また、単に軸方向Ｘといったときは、リール２の回転中心軸が延びる方向を意味するものとする。軸方向Ｘは、上下方向Ｚと直交している。また、軸方向Ｘと上下方向Ｚとの双方に直交する方向を横方向Ｙとする。また、上側といったときは、コードリール１が地面等に設置された姿勢における鉛直方向の上側を意味するものとし、下側といったときは、同姿勢における鉛直方向の下側を意味するものとする。また、軸方向Ｘの一方側であって、リール２における出力コンセント４が配置される側を前方、その反対側を後方とする。
【００２８】
図１に示すごとく、コードリール１の電源コード３の電源プラグ３１は、図示しないアース付きの単相の電源（コンセント）に接続される。電源プラグ３１は、ライブ端子３１Ｌ、ニュートラル端子３１Ｎ、及びアース端子３１Ｅからなる３つの端子を有する。ライブ端子３１Ｌは電源のライブ極に接続され、ニュートラル端子３１Ｎは電源のニュートラル極に接続され、アース端子３１Ｅは電源のアース極に接続される。
【００２９】
図示は省略するが、電源プラグ３１は、アース端子３１Ｅを電源プラグ３１内に収納できるよう構成されている。これにより、電源プラグ３１は、アース極を有さない電源にも接続可能である。電源プラグ３１を、アース極を有さない電源に接続する場合、或いは、アース極を有するもののアース極が金属製物体と導通していない電源に接続する場合でも、次のようにすれば刃部１０１が金属製物体にアースされたことを検出できる。すなわち、図１に示すごとく、コードリール１の電源プラグ３１から延びるとともに電源プラグ３１のアース端子３１Ｅと電気的につながった接地用延線３１１と、金属製物体とを電気的に接続すればよい。コードリール１には、リール２の後述の支持体２０に取り付けられたアースリール２００に巻き取られたアースコード１０３が設けられており、このアースコード１０３を、接地用延線３１１と金属製物体とを接続するために用いることができる。
【００３０】
図１、図２に示すごとく、支持体２０は、リール２を支持している。支持体２０は、下端部に形成された一対の脚部２０１と、上端部に形成された把持部２０２と、脚部２０１と把持部２０２とを連結する背部２０３と、背部２０３に固定されるとともにリール２の回転の中心となる回転軸部２０４と、を有する。
【００３１】
脚部２０１は、支持体２０の下端部に形成されており、コードリール１を地面等に置く際に、地面等に当接する部位である。把持部２０２は、支持体２０の上端部に形成されており、コードリール１の使用者がコードリール１を持ち運びする際に把持するための部位である。背部２０３は、脚部２０１と把持部２０２とを上下方向Ｚに連結している。背部２０３における上下方向Ｚの中央部に、回転軸部２０４が固定されている。
【００３２】
回転軸部２０４は、背部２０３に対して垂直に形成されている。回転軸部２０４は、背部２０３から前方に向かって、軸方向Ｘに延在するよう形成されている。回転軸部２０４に対して回転可能となるよう、リール２が支持体２０に支持されている。
【００３３】
図２に示すごとく、リール２は、胴部２１と側板部２２とを有する。胴部２１は、軸方向Ｘに高さを有する円筒状に形成されており、側板部２２は、胴部２１よりも外周側に突出する円盤状に形成されている。一対の側板部２２は、胴部２１における両側の開口端を閉塞するよう胴部２１に嵌合されている。一対の側板部２２は、締結部材１０４によって互いに軸方向Ｘに固定されている。
【００３４】
図１に示すごとく、一対の側板部２２のうちの前方の側板部２２である前方側板部２２１は、金属を円環状に形成してなる金属板部２２１ａと、金属板部２２１ａの開口を前方から閉塞するとともに、樹脂を円盤状に形成してなる配置板部２２１ｂとを有する。
【００３５】
配置板部２２１ｂには、電源コード３に電気接続された２つの出力コンセント４が固定されている。２つの出力コンセント４は、リール２の回転中心軸の横方向Ｙの両側に配されている。２つの出力コンセント４は、電源コード３から電力が供給される。配置板部２２１ｂには、出力コンセント４不使用時等に出力コンセント４を覆うためのカバー２２３が取り付けられている。
【００３６】
配置板部２２１ｂには、漏電遮断器５の遮断器スイッチ５１と、手動復帰手段１６と、テストボタン１０５と、チェックランプ１０６と、パイロットランプ１０７と、ブザー１０８と、接地端子１０９とが設けられている。
【００３７】
遮断器スイッチ５１は、配置板部２２１ｂの上部に配されている。漏電遮断器５は、コードリール１使用時における漏電を検知すると、電源コード３から出力コンセント４への給電を遮断するよう構成されている。そして、電源コード３から出力コンセント４への給電が遮断された後は、コードリール１の使用者が遮断器スイッチ５１を操作することにより、電源コード３から出力コンセント４への給電が再開される。
【００３８】
手動復帰手段１６は、遮断器スイッチ５１と横方向Ｙに隣り合う位置に配されている。手動復帰手段１６は、電動工具１０の刃部１０１が金属製物体に接触してアースされることに応じてスイッチ手段１２が電源コード３から出力コンセント４への給電を遮断した後、電源コード３から出力コンセント４への通電を再開させるためのスイッチである。
【００３９】
テストボタン１０５は、手動復帰手段１６に横方向Ｙ隣り合う位置に配されている。チェックランプ１０６は、遮断器スイッチ５１及び手動復帰手段１６に対して、横方向Ｙのテストボタン１０５側と反対側に配されている。
【００４０】
テストボタン１０５は、電源コード３のアース端子３１Ｅが、正常にアースされているか、及び、電源プラグ３１の極性（ライブ端子３１Ｌ、ニュートラル端子３１Ｎ）と電源の極性（ライブ極、ニュートラル極）とが正しく接続されているか、を確認するための押しボタンスイッチである。電源コード３のアース端子３１Ｅが正常にアースされており、かつ、電源プラグ３１の極性と電源の極性とが正しく接続されている場合、コードリール１の使用者がテストボタン１０５を押すと、チェックランプ１０６は緑色に点灯する。電源コード３のアース端子Ｅが正常にアースされているものの、電源プラグ３１の極性と電源の極性とが逆に接続されている場合（すなわち、電源プラグ３１のライブ端子３１Ｌが電源のニュートラル極に接続されており、電源プラグ３１のニュートラル端子３１Ｎが電源のライブ極に接続されている場合）、コードリール１の使用者がテストボタン１０５を押すと、チェックランプ１０６は橙色に点灯する。電源コード３のアース端子Ｅが正常にアースされていない場合は、コードリール１の使用者がテストボタン１０５を押すと、チェックランプ１０６は点灯しない。コードリール１の使用者は、テストボタン１０５を押してチェックランプ１０６を確認することで、電源コード３のアース端子３１Ｅが、正常にアースされているか、及び、電源プラグ３１の極性と電源の極性とが合っているか、を一目で確認することができる。
【００４１】
パイロットランプ１０７は、配置板部２２１ｂの中央部に配されている。パイロットランプ１０７は、電源コード３から各出力コンセント４への給電が正常に行われている場合に点灯し、電源コード３から各出力コンセント４への給電が遮断されている場合に消灯するよう構成されている。
【００４２】
ブザー１０８は、配置板部２２１ｂにおけるパイロットランプ１０７の下側に配されている。ブザー１０８は、電動工具１０の刃部１０１が金属製物体に接触してアースされたと同時に警告音を発するよう構成されている。
【００４３】
接地端子１０９は、配置板部２２１ｂにおける横方向Ｙのブザー１０８の両側に配されている。各接地端子１０９は、電源プラグ３１のアース端子３１Ｅと電気的に導通している端子である。前述のごとく、接地端子１０９は、出力コンセント４に接続される電動工具１０の工具側プラグ１０２が、アース極を有さないものである場合に、電源コード３のアース端子３１Ｅと電動工具１０の刃部１０１とを電気的に接続するための端子である。
【００４４】
側板部２２の金属板部２２１ａの外周部には、コードリール１の使用者が電源コード３をリール２に巻き取る際に掴んでリール２を回転させるための取手部２２４が形成されている。なお、図２に示すごとく、一対の側板部２２における後方の側板部２２である後方側板部２２２は、一枚の円盤状の金属板からなる。そして、胴部２１の外周側、かつ、一対の側板部２２の間の領域に、電源コード３が巻回される。
【００４５】
電源コード３における電源プラグ３１と反対側の部位は、胴部２１に貫通形成された貫通孔を通って胴部２１内に入っている。胴部２１内に、図５に示す漏電遮断器５、検出手段１１、受信部１３、無線復帰手段１４等のコードリール１の構成部品が収容されている。
【００４６】
漏電遮断器５は、前述のごとく、遮断器スイッチ５１を配置板部２２１ｂからコードリール１外部に露出させつつ、胴部２１内に収容されている。検出手段１１は、いわゆるメタルセンサによって構成される。
【００４７】
受信部１３は、前述のごとく、リール２の外部に露出しないよう胴部２１の内側に配されている。受信部１３は、コードリール１の配置板部２２１ｂよりも後方に離れた位置に配されている。本例において、受信部１３は、軸方向Ｘにおける一対の側板部２２の中央部に配されている。
【００４８】
受信部１３は、軸方向Ｘに長尺に形成されている。受信部１３は、胴部２１の内側に配された基板１５に搭載されている。図２における図示は省略するが、基板１５には、無線復帰手段１４を構成する後述の第一コイル６１２が形成されている。
【００４９】
＜回路構成＞
次に、図５を用いて、コードリール１の回路構成につき説明する。
電源コード３は、ライブ端子３１Ｌに電気接続されたライブ電線３Ｌと、ニュートラル端子３１Ｎに電気接続されたニュートラル電線３Ｎと、アース端子３１Ｅに電気接続されたアース電線３Ｅとを有する。
【００５０】
電源コード３のライブ電線３Ｌとニュートラル電線３Ｎとは、漏電遮断器５に電気接続されている。漏電遮断器５におけるライブ電線３Ｌ及びニュートラル電線３Ｎの反対側は、２つの出力コンセント４に電気接続されている。
【００５１】
漏電遮断器５は、コードリール１使用時における漏電を検知すると、電源コード３から出力コンセント４への給電を遮断するよう構成されている。漏電遮断器５により、電源コード３から出力コンセント４への給電が遮断された場合、漏電遮断器５の遮断器スイッチ５１（図１参照）をコードリール１の使用者が操作することで、電源コード３から出力コンセント４への給電が再開される。
【００５２】
各出力コンセント４は、ライブコンセント端子４Ｌ、ニュートラルコンセント端子４Ｎ、及びアースコンセント端子４Ｅからなる３つの端子を有する。２つの出力コンセント４のライブコンセント端子４Ｌは、漏電遮断器５におけるライブ電線３Ｌ側のライブ出力１２Ｌに、互いに並列に接続されている。２つの出力コンセント４のニュートラルコンセント端子４Ｎは、漏電遮断器５におけるニュートラル電線３Ｎ側のニュートラル出力１２Ｎに、互いに並列に接続されている。アースコンセント端子４Ｅは、検出手段１１を介してアース電線３Ｅに電気接続されている。
【００５３】
検出手段１１は、漏電遮断器５と並列に、ライブ電線３Ｌ及びニュートラル電線３Ｎに電気接続されている。検出手段１１には、無線復帰手段１４を構成する常閉接点である第一接点６１１と、手動復帰手段１６を構成する常閉接点である第二接点６２１と、後述する第三接点６３１のオンオフを操作する第三コイル６３２とを直列につないだ第一直列回路７１が接続されている。
【００５４】
また、検出手段１１には、受信部１３が接続されている。受信部１３は、検出手段１１を介してライブ電線３Ｌ及びニュートラル電線３Ｎから電力が供給されている。受信部１３は、コードリール１の使用者が遠隔操作部１００のボタン１００ａを押している間、遠隔操作部１００から発信される無線信号を受信する。受信部１３と遠隔操作部１００との間の通信方式は、例えば、特定小電力無線や、Ｂｌｕｅｔｏｏｔｈ（登録商標）を使った近距離無線通信等にすることができる。
【００５５】
受信部１３には、第一接点６１１を操作する第一コイル６１２を有する第二直列回路７２が接続されている。第一コイル６１２は、無線復帰手段１４を構成する。
【００５６】
漏電遮断器５及び検出手段１１と並列に、ブザー１０８がライブ電線３Ｌとニュートラル電線３Ｎとの間に接続されている。ブザー１０８とライブ電線３Ｌとの間には、常開接点である第三接点６３１が接続されている。第三接点６３１は、第三コイル６３２により、オンオフが操作される。
【００５７】
また、ブザー１０８に並列に、第四コイル６４２が配されている。第四コイル６４２は、ライブ電線３Ｌと漏電遮断器５との間に配された常閉接点である第四接点６４１のオンオフを操作する。第四コイル６４２及び第四接点６４１は、スイッチ手段１２を構成する。
【００５８】
また、漏電遮断器５のライブ出力１２Ｌとニュートラル出力１２Ｎとの間に、パイロットランプ１０７が接続されている。また、漏電遮断器５のライブ出力１２Ｌとニュートラル出力１２Ｎとは、チェックランプ１０６を介して、テストボタン１０５に接続されている。テストボタン１０５のチェックランプ１０６側と反対側は、アース電線３Ｅに接続されている。
【００５９】
チェックランプ１０６は、緑色ＬＥＤ素子と橙色ＬＥＤ素子とを有するカソードコモンの２色ＬＥＤによって構成されている。緑色ＬＥＤ素子のアノードは、ライブ出力１２Ｌに接続されており、橙色ＬＥＤ素子のアノードは、ニュートラル出力１２Ｎに接続されている。そして、２色ＬＥＤのカソードは、テストボタン１０５を介してアース電線３Ｅに接続されている。
【００６０】
コードリール１の使用者がテストボタン１０５をオンに操作することにより、漏電遮断器５のライブ出力１２Ｌ及びニュートラル出力１２Ｎと電源コード３のアース電線３Ｅとがチェックランプ１０６を介して導通する。それゆえ、アース電線３Ｅが電源のアース極を介して正常にアースされている場合、コードリール１の使用者がテストボタン１０５をオンにすることにより、チェックランプ１０６が緑色又は橙色に点灯する。ここで、電源プラグ３１の極性と電源の極性とが正しく接続されているとき、ライブ出力１２Ｌから、チェックランプ１０６を構成する緑色ＬＥＤ素子を介してアース電線３Ｅに電流が流れるため、チェックランプ１０６は緑色に発光する。一方、電源プラグ３１の極性と電源の極性とが逆に接続されているとき、ニュートラル出力１２Ｎから橙色ＬＥＤを介してアース電線３Ｅに電流が流れるため、チェックランプ１０６は橙色に発光する。また、アース電線３Ｅが電源のアース極を介して正常にアースされていない場合は、コードリール１の使用者がテストボタン１０５をオンにしても２色ＬＥＤに電流が流れず、チェックランプ１０６は点灯しない。
【００６１】
＜動作＞
次に、コードリール１の電源プラグ３１を電源に接続するとともに、電動工具１０の工具側プラグ１０２を接続し、電動工具１０を使用している際のコードリール１の動作につき説明する。
【００６２】
まず、図５を用いて、刃部（図３の符号１０１参照）が金属製物体に接触していない正常時（以後、単に正常時ということもある。）のコードリール１の動作につき説明する。
【００６３】
正常時においては、電源コード３から漏電遮断器５を介して各出力コンセント４に電力が供給されている。正常時においては、パイロットランプ１０７に電力が供給されるため、パイロットランプ１０７は点灯する。
【００６４】
電源コード３のアース電線３Ｅは、検出手段１１を介して各出力コンセント４のアースコンセント端子４Ｅに接続されている。検出手段１１は、アースコンセント端子４Ｅを介して電動工具１０の刃部１０１に、常に微弱の電圧（例えば１２Ｖ程度）を印加した状態にある。
【００６５】
次に、図６を用いて、刃部（図３の符号１０１参照）が金属製物体に接触した接触時（以後、単に接触時ということもある。）のコードリール１の動作につき説明する。
【００６６】
電動工具１０の刃部１０１が金属製物体に接触すると、検出手段１１、出力コンセント４のアースコンセント端子４Ｅ、刃部１０１、金属製物体、電源のアース極、電源コード３のアース電線３Ｅ、検出手段１１からなる閉回路が形成される。前述のごとく、正常時において、検出手段１１は電動工具１０の刃部１０１に常に微弱電圧を印加しているため、接触時においては、前記閉回路が形成されることで前記閉回路に微小電流（例えば４ｍＡ程度）が流れる。検出手段１１は、この微小電流を検知することで、刃部１０１のアースを検知する。
【００６７】
そして、検出手段１１は、前記微小電流を検知したとき、第一直列回路７１に電流を流すよう構成されている。検出手段１１及び第一直列回路７１には、自己保持回路が構成されている。該自己保持回路は、一度第一直列回路７１に電流が流れると、刃部１０１のアースの検出が終了したとき（すなわち、刃部１０１が金属製物体から離れたとき）も、第一接点６１１及び第二接点６２１の少なくとも一方をオフにしない限り、第一直列回路７１の通電状態を維持するよう構成されている。
【００６８】
第一直列回路７１に電流が流れることにより、第三コイル６３２が通電状態となり、第三接点６３１がオフからオンに切り替わる。これにより、ブザー１０８と電源コード３のライブ電線３Ｌ及びニュートラル電線３Ｎとが導通し、ブザー１０８が警告音を発する。これにより、コードリール１の使用者は、刃部１０１が金属製物体に接触したことを認識することができる。
【００６９】
また、第三接点６３１がオンになることにより、第四コイル６４２が通電状態となり、第四接点６４１がオンからオフに切り替わる。これにより、電源コード３のライブ電線３Ｌから漏電遮断器５の間の導通が遮断される。これにより、電源コード３と出力コンセント４との間が非通電状態となり、出力コンセント４が使用不可となる。同時に、パイロットランプ１０７も非通電状態となるため消灯する。
【００７０】
次に、図７を用いて、受信部１３が遠隔操作部（図４の符号１００参照）から無線信号を受信している受信時（以後、単に受信時ということもある。）のコードリール１の動作につき説明する。
【００７１】
受信部１３は、受信時に、第二直列回路７２に電流を流すよう構成されている。これにより、第一コイル６１２が通電状態となり、第一直列回路７１の第一接点６１１がオンからオフへ切り替わる。これにより、検出手段１１及び第一直列回路７１によって構成される自己保持回路の自己保持が解かれ、第一直列回路７１が非通電状態に切り替わる。
【００７２】
そして、第一直列回路７１の第三コイル６３２が非通電状態に切り替わることで、第三接点６３１がオンからオフに切り替わる。これにより、ブザー１０８への通電が遮断され、ブザー１０８の警告音が消える。
【００７３】
また、第三接点６３１がオフになることにより、第四コイル６４２が非通電状態となり、第四接点６４１がオフからオンに切り替わる。これにより、電源コード３から出力コンセント４への電力の供給が再開される。
【００７４】
なお、受信部１３が遠隔操作部１００から無線信号を受信していない場合であっても、コードリール１の使用者が第二接点６２１を操作し、第二接点６２１をオンからオフに手動で切り替えることにより、コードリール１の使用者が遠隔操作部１００を操作した場合と同様に、電源コード３から出力コンセント４への給電が再開される。そして、電源コード３から出力コンセント４への電力の供給が再開されると同時に、パイロットランプ１０７が通電状態となって点灯する。
【００７５】
次に、本例の作用効果につき説明する。
本例のコードリール１において、無線式の遠隔操作部１００から発信される無線信号を受信する受信部１３は、リール２の外部に露出しないよう胴部２１の内側に配されている。それゆえ、受信部１３を、リール２の外部に露出するようリール２内に配置する必要がなく、受信部１３の配置の自由度を高めることができる。
【００７６】
また、遠隔操作部１００は、無線信号を受信部１３に発するよう構成されているため、遠隔操作部１００の無線信号の発信部を受信部１３に向けなくとも、遠隔操作部１００から受信部１３へ無線信号を伝達することができる。これにより、コードリール１の使用者が電源コード３から出力コンセント４への通電を再開させる際、遠隔操作部１００の発信部を受信部１３に向ける煩わしさを無くすことができる。
【００７７】
また、受信部１３は、配置板部２２１ｂから離れた位置に配されている。配置板部２２１ｂ近傍には、出力コンセント４等の種々の部品が配され、配置スペースが小さくなりやすい。そこで、受信部１３を配置板部２２１ｂから離れた位置に配することで、受信部１３をリール２内に一層配置しやすい。
【００７８】
また、コードリール１は、リール２に設けられた手動復帰手段１６を有する。そして、コードリール１は、手動復帰手段１６及び無線復帰手段１４のいずれによっても、電源コード３から出力コンセントへの給電を再開できるよう構成されている。これにより、コードリール１の使用者が遠隔操作部１００を携帯していない場合や、遠隔操作部１００の電池切れ等により遠隔操作部１００が機能しなくなった場合等においても、手動で電源コード３から出力コンセント４への通電を再開させることができる。
【００７９】
以上のごとく、本例のコードリールにおいては、リールに対する受信部の配置自由度を向上させやすいコードリールを提供することができる。
【００８０】
本考案は、前記各実施例に限定されるものではなく、その要旨を逸脱しない範囲において種々の実施例に適用することが可能である。
【符号の説明】
【００８１】
１  コードリール
１０  電動工具
１００  遠隔操作部
１０１  刃部
１１  検出手段
１２  スイッチ手段
１３  受信部
１４  無線復帰手段
１６  手動復帰手段
２  リール
２１  胴部
２２  側板部
２２１ｂ  配置板部
３  電源コード
３１  電源プラグ
４  出力コンセント
Ｘ  軸方向
【図１】
0003219613.tif 000003
【図２】
0003219613.tif 000004
【図３】
0003219613.tif 000005
【図４】
0003219613.tif 000006
【図５】
0003219613.tif 000007
【図６】
0003219613.tif 000008
【図７】
0003219613.tif 000009